(57)【要約】【課題】  撮像装置においてビデオ出力を正しく表示させようとしたものである。【解決手段】  メニューの言語設定で繁体中文に設定されても、繁体中文でビデオ出力するのではなく、かんたい中文でビデオ出力することにより、文字を正しく表示させるようにした。【選択図】  図１
2007036984.tif 000002
【特許請求の範囲】
【請求項１】
MENUボタンを押すことにより、液晶表示器にメニュー画面を表示する手段を有し、ビデオ出力端子にビデオケーブルが挿されたか否かを判断する手段を有し、ビデオケーブルが挿されたと認識した場合には液晶表示器に出力していたビデオデータを切り替えてビデオケーブルに接続されたビデオモニタに出力することを特徴とする撮像装置。
【請求項２】
上記請求項１の撮像装置において、MENUの言語設定画面から繁体中文に設定する手段を有し、繁体中文設定中に撮像装置のビデオ出力端子にビデオケーブルが接続された場合には、液晶表示器に出力していた繁体中文データからはんたい中文データに言語を切り替えてビデオケーブルに接続されたビデオモニタに出力することを特徴とする撮像装置。
【発明の詳細な説明】
【技術分野】
【０００１】
本発明は撮像装置のビデオモニタ出力に関するものである。
【背景技術】
【０００２】
従来、撮像装置のMENUをLCDパネルに表示させるためには、カメラの電源をONし、MENUボタンを押すことによりLCDパネルにMENUを表示させていた。またそのLCDパネルに表示されたMENUをビデオモニタに切り替えて表示させるためには、LCDパネルにMENUを表示後、ビデオモニタの電源をONし、ビデオモニタと撮像装置のビデオ出力端子にビデオケーブルを接続することにより、撮像装置はLCDに出力していたMENUをビデオモニタに出力を切り替えてMENUをビデオモニタに表示させていた。
【０００３】
又、従来例としては、例えば特許文献１をあげることが出来る。
【特許文献１】特開平11-338425号公報
【発明の開示】
【発明が解決しようとする課題】
【０００４】
しかし、撮像装置のMENUの表示言語を繁体中文に指定し、ビデオモニタとビデオ出力端子にビデオケーブルを接続し、MENUをビデオモニタ出力した場合には、ビデオモニタに出力された文字が正しく表示されないという問題があった。
【課題を解決するための手段】
【０００５】
撮像装置のMENUの表示言語を繁体中文に指定し、ビデオモニタと撮像装置のビデオ出力端子にビデオケーブルを接続し、MENUをビデオモニタ出力した場合には、繁体中文でビデオ出力するのではなく、かんたい中文でビデオ出力することにより、文字を正しく表示させるようにした。
【発明の効果】
【０００６】
以上説明したようにMENUの表示設定言語で繁体中文に設定されても、繁体中文でビデオモニタ出力するのではなく、かんたい中文でビデオモニタ出力することにより、文字を正しく表示するようになった。
【発明を実施するための最良の形態】
【０００７】
図１に一眼レフデジタルカメラの背面図を示す。この図を用い一眼レフカメラの操作部材を説明する。1０１は、ＴＦＴにＭＥＮＵを表示させるＭＥＮＵキー、１０２は撮影設定情報を表示させるＩＮＦＯキー、１０３はメニュー画面でタブを変更、画像再生画面で10枚ジャンプをするＪＵＭＰキー、１０４は撮影画像のサムネイル画像を表示させる再生キー、１０５は記録した画像を削除する消去キー、１０６は測光モードを選択する測光モードキー、またはＴＦＴに表示された選択キーを左に移動させる左キー、１０７はＷＢモードを選択するＷＢモードキー、またはＴＦＴに表示された選択キーを下に移動させる下キー、１０８はＡＦモードを選択するＡＦモードキー、またはＴＦＴに表示された選択キーを右に移動させる右キー、１０９はＩＳＯを選択するＩＳＯキー、またはＴＦＴに表示された選択キーを上に移動させる上キー、１１０はＴＦＴに表示された選択キーを決定するセットキー、１１１は測距点を選択する測距点選択キー、またはダイレクトプリントのトリミングを行う際の拡大を行う場合に使用する拡大キー、１１２はＡＥロックを設定するＡＥロックキー、またはダイレクトプリントのトリミングを行う際の縮小を行う場合に使用する縮小キー、１１３は電源のＯＮ、ＯＦＦを行うメインスイッチ、１１４は撮影モードを選択する撮影モードダイヤル、１１５は露出値を決定するＡＶ±キー、１１６はドライブモードを選択するドライブモードキー、１１７はＡＶ値、ＴＶ値、撮影可能枚数、測光モード、撮影画像モード、ホワイトバランス、露出値、バッテリ残量、ＡＦモード、ドライブモードを表示するＯＬＣ、１１８はＯＬＣのバックライトキー、またはこれを押すとダイレクトプリントを開始するイージーダイレクトキー、１１９はビデオモニタにビデオデータを転送するビデオケーブル、１２０はデジタルカメラから送られたビデオデータをモニタに出力するビデオモニタである。
【０００８】
図２に一眼レフデジタルカメラの前面図を示す。この図を用い一眼レフカメラの操作部材を説明する。２０１は各種設定を行うメイン電子ダイヤル、２０２は撮影を行うレリーズキー、２０３はリモコンのデータを受信するリモコン受光部、２０４は赤目緩和を行い、またセルフタイマ時点灯させる赤目緩和/セルフタイマランプ、２０５は押すと絞りこみを行う絞り込みキー、２０６はレンズロックの解除を行うレンズロック解除キー、２０７はストロボをポップアップさせるストロボキー、２０８は実際にストロボを光らせる内蔵ストロボである。
【０００９】
次に図３を用い本発明に係る撮像装置のブロック図を説明する。この電子カメラは、レリーズボタン（図示せず）の操作により静止画を外部メモリカード等に記録するデジタルカメラであり、液晶表示器（ＬＣＤパネル）３３０が設けられている。このＬＣＤパネル３３０は、撮影した静止画又は再生した静止画を表示することができる。
【００１０】
被写体像は、撮影レンズ３１０を介して固体撮像素子（ＣＣＤ）３１２の受光面上に結像される。ＣＣＤ３１２は、受光面に結像された画像光をその光量に応じた量の信号電荷に変換する。このようにして変換された信号電荷は、ＣＣＤ駆動回路３１３から加えられるＣＣＤ駆動パルスに基づいて信号電荷に応じた電圧信号（画像信号）として順次読み出され、ＣＤＳ回路３１６に加えられる。
【００１１】
ＣＤＳ回路３１６は、ＣＤＳクランプ、ゲインコントロールアンプ及びＡ／Ｄコンバータ等から構成されており、ＣＣＤ３１２から読み出された画像信号は、ＣＤＳクランプで各画素毎にサンプリングホールドされ、ゲインコントロールアンプで増幅されたのち、Ａ／ＤコンバータでＲ，Ｇ，Ｂのデジタル信号に変換されて信号処理回路３１８に加えられる。尚、タイミング信号発生回路３１４は、マイコン３２０からのコマンドに応じてＣＣＤ駆動回路３１３、ＣＤＳ回路３１６及び信号処理回路３１８に適宜のタイミング信号を出力し、各回路の同期をとっている。
【００１２】
信号処理回路３１８は、ＹＣ信号作成回路、圧縮／伸長回路等を含み、前記Ｒ，Ｇ，Ｂのデジタル信号をマイコン３２０からのコマンドによってＹＣ信号（輝度信号Ｙとクロマ信号Ｃ）に変換し、このＹＣ信号をメモリ３２２に格納する。また、信号処理回路３１８は、メモリ３２２からＹＣ信号をマイコン３２０からのコマンドによって連続的又は間欠的に読み出し、これをビデオ出力回路３２４に出力する。
【００１３】
ビデオ出力回路３２４は、Ｄ／Ａコンバータ、エンコーダ等を含み、入力するＹＣ信号をＤ／Ａコンバータでアナログ信号に変換したのち、エンコーダで例えばＮＴＳＣ方式のビデオ信号を生成し、これをビデオ出力端子３２６及び液晶駆動回路３２８に出力する。液晶駆動回路３２８は入力するビデオ信号に基づいてＲ、Ｇ、Ｂ信号及び液晶表示に必要なパルスを生成してＬＣＤパネル３３０に出力し、ＬＣＤパネル３３０に画像を表示させる。
【００１４】
尚、３３２は、メモリカードや外部機器とデータを授受するための外部インタフェースであり、信号処理回路３１８は、画像データの記録時にはマイコン３２０からのコマンドによりメモリ３２２にアクセスしてメモリ３２２上のＹＣ信号を圧縮し、その圧縮した画像データを外部インタフェース３３２を介してメモリカードに記録させる。また、３３４は、ビデオ出力端子３２６にケーブルあるいはテレビ等が接続されているか否かを機械的又は電気的に検知する検出器である。
【００１５】
次に本実施例の動作に関して図４を用いて説明する。
【００１６】
まずMENUボタン１０１を押してLCDパネル３３０にMENU画面を表示させる（S４０１）。次にMENUの言語設定から言語を繁体中文に設定したかどうかを判別する（S４０２）。次に撮像装置にビデオケーブルを接続したかどうかを検出器３３４を用いて判別する（S４０３）。ビデオケーブルが接続されたならばビデオ出力に繁体中文ではなくかんたい中文を出力する（S４０４）。
【図面の簡単な説明】
【００１７】
【図１】一眼レフデジタルカメラの背面図
【図２】一眼レフデジタルカメラの前面図
【図３】撮像装置のブロック図
【図４】ビデオモニタ出力フローチャート
【図１】
2007036984.tif 000003
【図２】
2007036984.tif 000004
【図３】
2007036984.tif 000005
【図４】
2007036984.tif 000006